(57)【要約】【課題】  表示面に表示されている画像のうちの所望の画像を、簡単な操作、かつ短い作業時間で消去することができる表示装置および表示装置の制御方法を提供する。【解決手段】  ３本以上の指３０を入力面１５ａに接触させて選択範囲５１を設定し、選択範囲５１が設定されているときに、それらの指３０を移動させないままで入力面１５ａから離すことで、選択範囲５１内に表示させていた図形１１ｄをカットする。【選択図】      図６Ａ
2014002554.tif 000002
【特許請求の範囲】
【請求項１】
画像を表示する表示面を有する表示部と、
表示部による画像の表示を制御する表示制御手段と、
表示面に重ねて設けられる、物体が接触する入力面を有するタッチパネルと、
表示面に表示される画像が記憶される画像記憶手段と、
前記入力面における物体の接触の開始と接触の終了とを検出する接触状態検出手段と、
前記入力面における物体の接触位置および、接触位置の数を検出する接触位置検出手段と、
表示面に画像が表示されているときに、接触状態検出手段および接触位置検出手段の検出結果に基づいて、接触位置の数が３つ以上検出されると、該接触位置および該接触位置の数が変化せずに接触が継続している間、入力面の該接触位置にそれぞれ対応する表示面における位置を全て含むような範囲を、表示面の一部に選択範囲として設定する範囲設定手段と、
表示制御手段を制御する制御手段とを含み、
制御手段は、
接触状態検出手段および接触位置検出手段の検出結果に基づいて、範囲設定手段によって選択範囲が設定されているときに、接触位置が変化しないままで該接触位置の数が０になった場合に、該選択範囲内に表示されていた画像が表示面から消去されるように表示制御手段を制御し、消去した該画像の画像情報を画像記憶手段に記憶させることを特徴とする表示装置。
【請求項２】
画像を表示する表示面を有する表示部と、
表示部による画像の表示を制御する表示制御手段と、
表示面に重ねて設けられる、物体が接触する入力面を有するタッチパネルと、
表示面に表示される画像が記憶される画像記憶手段と、
前記入力面における物体の接触の開始と接触の終了とを検出する接触状態検出手段と、
前記入力面における物体の接触位置および、接触位置の数を検出する接触位置検出手段と、
表示面に画像が表示されているときに、接触状態検出手段および接触位置検出手段の検出結果に基づいて、接触位置の数が３つ以上検出されると、該接触位置の数が変化せずに接触が継続している間、入力面の該接触位置にそれぞれ対応する表示面における位置の全てを含むように表示面の一部に設定される範囲であって、該範囲内と該範囲外との境界線が少なくとも表示面における前記位置の１つを通るような範囲を選択範囲として設定する範囲設定手段と、
表示制御手段を制御する制御手段とを含み、
制御手段は、
接触状態検出手段および接触位置検出手段の検出結果に基づいて、範囲設定手段によって選択範囲が設定されているときに、接触位置の数が変化しないままで、表示面における境界線上の前記位置が、表示面における他の位置に近づくことにより、範囲指定手段によって指定される選択範囲が縮小し、該選択範囲が予め定める大きさまで縮小した場合に、最初に設定された選択範囲内に表示されていた画像が表示面から消去されるように表示制御手段を制御し、消去した該画像の画像情報を画像記憶手段に記憶させることを特徴とする表示装置。
【請求項３】
制御手段は、
接触状態検出手段および接触位置検出手段の検出結果に基づいて、消去した該画像の画像情報が画像記憶手段に記憶されているときに、接触位置の数が３つ以上検出されると、画像記憶手段に記憶されている、消去した該画像を表示面に表示させるように表示制御手段を制御することを特徴とする請求項１または２に記載の表示装置。
【請求項４】
画像記憶手段に記憶された、消去した該画像の画像情報が、予め定める時間が経過すると画像記憶手段から消去されることを特徴とする請求項１〜３のいずれか１つに記載の表示装置。
【請求項５】
制御手段は、
接触状態検出手段および接触位置検出手段の検出結果に基づいて、範囲設定手段によって選択範囲が設定されているときに、接触位置の数が変化しないままで該接触位置が変化した場合に、該選択範囲内に表示されていた画像が、変化した該接触位置に基づいた位置に表示されるように表示制御手段を制御することを特徴とする請求項１〜４のいずれか１つに記載の表示装置。
【請求項６】
請求項１に記載の表示装置を制御する制御方法であって、
表示面に画像が表示されているときに、接触状態検出手段および接触位置検出手段の検出結果に基づいて、接触位置の数が３つ以上されると、該接触位置および該接触位置の数が変化せずに接触が継続している間、範囲指定手段によって表示面の一部に前記選択範囲を設定する選択範囲設定工程と、
範囲設定手段によって前記選択範囲が設定されているときに、接触状態検出手段および接触位置検出手段の検出結果に基づいて、接触位置が変化しないままで該接触位置の数が０になった場合に、制御手段によって、該選択範囲内に表示されていた画像が表示面から消去されるように表示制御手段が制御される画像切取工程と、
制御手段によって、消去した該画像の画像情報を画像記憶手段に記憶させる画像情報記憶工程とを含むことを特徴とする表示装置の制御方法。
【請求項７】
請求項２に記載の表示装置を制御する制御方法であって、
表示面に画像が表示されているときに、接触状態検出手段および接触位置検出手段の検出結果に基づいて、接触位置の数が３つ以上検出されると、該接触位置の数が変化せずに接触が継続している間、範囲設定手段によって前記選択範囲を設定する選択範囲設定工程と、
表示面に画像が表示され、接触状態検出手段および接触位置検出手段の検出結果に基づいて、範囲設定手段によって選択範囲が設定されているときに、接触位置の数が変化しないままで、表示面における境界線上の前記位置が、表示面における他の位置に近づくことにより、範囲指定手段によって指定される選択範囲が縮小し、該選択範囲が予め定める大きさまで縮小した場合に、制御手段によって、最初に設定された選択範囲内に表示されていた画像が表示面から消去されるように表示制御手段が制御される画像切取工程と、
制御手段によって、消去した該画像の画像情報を画像記憶手段に記憶させる画像情報記憶工程とを含むことを特徴とする表示装置の制御方法。
【発明の詳細な説明】
【技術分野】
【０００１】
本発明は、表示装置および表示装置の制御方法に関する。
【背景技術】
【０００２】
表示装置は、画像情報を目視表示するための表示面を有する表示部と、表示部の表示面内の座標を直接的に指示可能な入力部とを含み、表示部と入力部とを組合わせて一体化させた構成を有する。前記表示部としては、たとえば、液晶ディスプレイ（Liquid Crystal Display：以下「ＬＣＤ」という）が用いられる。入力部としては、たとえば、タッチパネルが用いられる。
【０００３】
特許文献１には、５本の指をタッチパネルに接触させ、５本の指をタッチパネルに接触させたまま手を回転させる操作を行うことによって、表示面に表示されている画像を回転して表示する表示装置が開示されている。
【０００４】
また特許文献２には、表示面の一部の領域を指定するために、タッチパネルに対して片手の指を複数本接触させる選択操作と、その他の操作とを識別可能な表示装置が開示されている。
【先行技術文献】
【特許文献】
【０００５】
【特許文献１】特開２００８−１５８８４２号公報
【特許文献２】特開２００９−２８２６３４号公報
【発明の概要】
【発明が解決しようとする課題】
【０００６】
表示装置の用途例として、いわゆる電子黒板が挙げられる。従来の電子黒板では、表示面の一部の領域に表示している図形などの画像を表示面から消去する、いわゆるカットする場合、まず領域指定アイコンなどを選択して、カットしたい図形が表示されている表示面の領域を指定した後、カットアイコンで該領域内の図形をカットする指示を行う必要がある。このように従来の電子黒板では、表示面に表示している画像をカットする場合、アイコンを選んで領域を指定するという手間の掛かる操作が必要で、それによって作業時間が長くなるという問題がある。
【０００７】
特許文献１，２には、表示装置を電子黒板として用いる場合に求められる、画像を簡単な操作でカットする方法は記載されていない。
【０００８】
本発明の目的は、表示面に表示されている画像のうちの所望の画像を、簡単な操作、かつ短い作業時間で消去することができる表示装置および表示装置の制御方法を提供することである。
【課題を解決するための手段】
【０００９】
本発明は、画像を表示する表示面を有する表示部と、
表示部による画像の表示を制御する表示制御手段と、
表示面に重ねて設けられる、物体が接触する入力面を有するタッチパネルと、
表示面に表示される画像が記憶される画像記憶手段と、
前記入力面における物体の接触の開始と接触の終了とを検出する接触状態検出手段と、
前記入力面における物体の接触位置および、接触位置の数を検出する接触位置検出手段と、
表示面に画像が表示されているときに、接触状態検出手段および接触位置検出手段の検出結果に基づいて、接触位置の数が３つ以上検出されると、該接触位置および該接触位置の数が変化せずに接触が継続している間、入力面の該接触位置にそれぞれ対応する表示面における位置を全て含むような範囲を、表示面の一部に選択範囲として設定する範囲設定手段と、
表示制御手段を制御する制御手段とを含み、
制御手段は、
接触状態検出手段および接触位置検出手段の検出結果に基づいて、範囲設定手段によって選択範囲が設定されているときに、接触位置が変化しないままで該接触位置の数が０になった場合に、該選択範囲内に表示されていた画像が表示面から消去されるように表示制御手段を制御し、消去した該画像の画像情報を画像記憶手段に記憶させることを特徴とする表示装置である。
【００１０】
また本発明は、画像を表示する表示面を有する表示部と、
表示部による画像の表示を制御する表示制御手段と、
表示面に重ねて設けられる、物体が接触する入力面を有するタッチパネルと、
表示面に表示される画像が記憶される画像記憶手段と、
前記入力面における物体の接触の開始と接触の終了とを検出する接触状態検出手段と、
前記入力面における物体の接触位置および、接触位置の数を検出する接触位置検出手段と、
表示面に画像が表示されているときに、接触状態検出手段および接触位置検出手段の検出結果に基づいて、接触位置の数が３つ以上検出されると、該接触位置の数が変化せずに接触が継続している間、入力面の該接触位置にそれぞれ対応する表示面における位置の全てを含むように表示面の一部に設定される範囲であって、該範囲内と該範囲外との境界線が少なくとも表示面における前記位置の１つを通るような範囲を選択範囲として設定する範囲設定手段と、
表示制御手段を制御する制御手段とを含み、
制御手段は、
接触状態検出手段および接触位置検出手段の検出結果に基づいて、範囲設定手段によって選択範囲が設定されているときに、接触位置の数が変化しないままで、表示面における境界線上の前記位置が、表示面における他の位置に近づくことにより、範囲指定手段によって指定される選択範囲が縮小し、該選択範囲が予め定める大きさまで縮小した場合に、最初に設定された選択範囲内に表示されていた画像が表示面から消去されるように表示制御手段を制御し、消去した該画像の画像情報を画像記憶手段に記憶させることを特徴とする表示装置である。
【００１１】
また本発明は、制御手段は、
接触状態検出手段および接触位置検出手段の検出結果に基づいて、消去した該画像の画像情報が画像記憶手段に記憶されているときに、接触位置の数が３つ以上検出されると、画像記憶手段に記憶されている、消去した該画像を表示面に表示させるように表示制御手段を制御することを特徴とする。
【００１２】
また本発明は、画像記憶手段に記憶された、消去した該画像の画像情報が、予め定める時間が経過すると画像記憶手段から消去されることを特徴とする。
また本発明は、制御手段は、
接触状態検出手段および接触位置検出手段の検出結果に基づいて、範囲設定手段によって選択範囲が設定されているときに、接触位置の数が変化しないままで該接触位置が変化した場合に、該選択範囲内に表示されていた画像が、変化した該接触位置に基づいた位置に表示されるように表示制御手段を制御することを特徴とする。
【００１３】
また本発明は、前記表示装置を制御する制御方法であって、
表示面に画像が表示されているときに、接触状態検出手段および接触位置検出手段の検出結果に基づいて、接触位置の数が３つ以上されると、該接触位置および該接触位置の数が変化せずに接触が継続している間、範囲指定手段によって表示面の一部に前記選択範囲を設定する選択範囲設定工程と、
範囲設定手段によって前記選択範囲が設定されているときに、接触状態検出手段および接触位置検出手段の検出結果に基づいて、接触位置が変化しないままで該接触位置の数が０になった場合に、制御手段によって、該選択範囲内に表示されていた画像が表示面から消去されるように表示制御手段が制御される画像切取工程と、
制御手段によって、消去した該画像の画像情報を画像記憶手段に記憶させる画像情報記憶工程とを含むことを特徴とする表示装置の制御方法である。
【００１４】
また本発明は、前記表示装置を制御する制御方法であって、
表示面に画像が表示されているときに、接触状態検出手段および接触位置検出手段の検出結果に基づいて、接触位置の数が３つ以上検出されると、該接触位置の数が変化せずに接触が継続している間、範囲設定手段によって前記選択範囲を設定する選択範囲設定工程と、
表示面に画像が表示され、接触状態検出手段および接触位置検出手段の検出結果に基づいて、範囲設定手段によって選択範囲が設定されているときに、接触位置の数が変化しないままで、表示面における境界線上の前記位置が、表示面における他の位置に近づくことにより、範囲指定手段によって指定される選択範囲が縮小し、該選択範囲が予め定める大きさまで縮小した場合に、制御手段によって、最初に設定された選択範囲内に表示されていた画像が表示面から消去されるように表示制御手段が制御される画像切取工程と、
制御手段によって、消去した該画像の画像情報を画像記憶手段に記憶させる画像情報記憶工程とを含むことを特徴とする表示装置の制御方法である。
【発明の効果】
【００１５】
本発明によれば、表示装置は、画像を表示する表示面を有する表示部と、表示部による画像の表示を制御する表示制御手段と、表示面に重ねて設けられる、物体が接触する入力面を有するタッチパネルと、表示面に表示される画像が記憶される画像記憶手段と、入力面における物体の接触の開始と接触の終了とを検出する接触状態検出手段と、入力面における物体の接触位置および、接触位置の数を検出する接触位置検出手段と、範囲設定手段と、表示制御手段を制御する制御手段とを含む。
【００１６】
範囲設定手段は、表示面に画像が表示されているときに、接触状態検出手段および接触位置検出手段の検出結果に基づいて、接触位置の数が３つ以上検出されると、該接触位置および該接触位置の数が変化せずに接触が継続している間、入力面の該接触位置にそれぞれ対応する表示面における位置を全て含むような範囲を、表示面の一部に選択範囲として設定する。
【００１７】
制御手段は、接触状態検出手段および接触位置検出手段の検出結果に基づいて、範囲設定手段によって選択範囲が設定されているときに、接触位置が変化しないままで該接触位置の数が０になった場合に、該選択範囲内に表示されていた画像が表示面から消去されるように表示制御手段を制御し、消去した該画像の画像情報を画像記憶手段に記憶させる。
【００１８】
３本以上の指を入力面に接触させることで選択範囲を設定でき、選択範囲が設定されているときに、それらの指を移動させないままで入力面から離すことで、選択範囲内に表示させていた画像をカットすることができるので、３本以上の指の接触させる入力面の位置を、カットしたい画像を囲むような位置にすることで、表示面に表示されている画像のうち所望の画像をカットすることができる。このときに行う動作は、３本以上の指を入力面に接触させた後に離すという簡単な動作なので、短い作業時間で所望の画像をカットすることができる。
【００１９】
また本発明によれば、表示装置は、画像を表示する表示面を有する表示部と、表示部による画像の表示を制御する表示制御手段と、表示面に重ねて設けられる、物体が接触する入力面を有するタッチパネルと、表示面に表示される画像が記憶される画像記憶手段と、入力面における物体の接触の開始と接触の終了とを検出する接触状態検出手段と、入力面における物体の接触位置および、接触位置の数を検出する接触位置検出手段と、範囲設定手段と、表示制御手段を制御する制御手段とを含む。
【００２０】
範囲設定手段は、表示面に画像が表示されているときに、接触状態検出手段および接触位置検出手段の検出結果に基づいて、接触位置の数が３つ以上検出されると、該接触位置の数が変化せずに接触が継続している間、入力面の該接触位置にそれぞれ対応する表示面における位置の全てを含むように表示面の一部に設定される範囲であって、該範囲内と該範囲外との境界線が少なくとも表示面における前記位置の１つを通るような範囲を選択範囲として設定する。
【００２１】
制御手段は、接触状態検出手段および接触位置検出手段の検出結果に基づいて、範囲設定手段によって選択範囲が設定されているときに、接触位置の数が変化しないままで、表示面における境界線上の前記位置が、表示面における他の位置に近づくことにより、範囲指定手段によって指定される選択範囲が縮小し、該選択範囲が予め定める大きさまで縮小した場合に、最初に設定された選択範囲内に表示されていた画像が表示面から消去されるように表示制御手段を制御し、消去した該画像の画像情報を画像記憶手段に記憶させる。
【００２２】
３本以上の指を入力面に接触させることで選択範囲を設定でき、選択範囲が設定されているときに、それらの指を互いに近づけるように動かすことで、選択範囲内に表示させていた画像をカットすることができるので、３本以上の指の接触させる入力面の位置を、カットしたい画像を囲むような位置にすることで、表示面に表示されている画像のうち所望の画像をカットすることができる。このときに行う動作は、３本以上の指を入力面に接触させた後に互いに近づけるという簡単な動作なので、短い作業時間で所望の画像をカットすることができる。
【００２３】
また本発明によれば、制御手段は、接触状態検出手段および接触位置検出手段の検出結果に基づいて、消去した該画像の画像情報が画像記憶手段に記憶されているときに、接触位置の数が３つ以上検出されると、画像記憶手段に記憶されている、消去した該画像を表示面に表示させるように表示制御手段を制御する。
【００２４】
このように３本以上の指を入力面に接触させることで、カットした画像を表示面に表示させる、いわゆるペーストさせることができるので、３本以上の指の接触させる入力面の位置を、ペーストさせたい位置を囲むような位置にすることで、カットした画像を入力面の所望の位置にペーストすることができる。このときに行う動作は、３本以上の指を入力面に接触させるという簡単な動作なので、短い作業時間でカットした画像を所望の位置にペーストすることができる。
【００２５】
また本発明によれば、画像記憶手段に記憶された、消去した該画像の画像情報が、予め定める時間が経過すると画像記憶手段から消去される。そのため、あるユーザがカットした画像を、予め定める時間が経過した後は、たとえば他のユーザが表示面に表示させる、いわゆるペーストさせることができなくなるので、情報漏洩防止に役立つ。
【００２６】
また本発明によれば、制御手段は、接触状態検出手段および接触位置検出手段の検出結果に基づいて、範囲設定手段によって選択範囲が設定されているときに、接触位置の数が変化しないままで該接触位置が変化した場合に、該選択範囲内に表示されていた画像が、変化した該接触位置に基づいた位置に表示されるように表示制御手段を制御する。
【００２７】
選択範囲が設定されているときに入力面から指を離すことなくそれらの指の接触位置を変化させることで、選択範囲内に表示させていた画像を、変化させた指の接触位置に基づいた位置に移動させることができるので、変化後の３本以上の指の入力面における接触位置を、画像を移動させたい位置にすることで、表示面に表示されている画像のうち所望の画像を所望の位置まで移動させることができる。このときに行う動作は、３本以上の指を入力面に接触させた後に入力面上でそれらの指の接触位置を変化させるという簡単な動作なので、短い作業時間で所望の画像を所望の位置に移動させることができる。
【００２８】
また本発明は、本発明の表示装置を制御する制御方法である。本発明の制御方法は、選択範囲設定工程と、画像切取工程と、画像情報記憶工程とを含む。
【００２９】
選択範囲設定工程では、表示面に画像が表示されているときに、接触状態検出手段および接触位置検出手段の検出結果に基づいて、接触位置の数が３つ以上検出されると、該接触位置および該接触位置の数が変化せずに接触が継続している間、範囲指定手段によって表示面の一部に前記選択範囲を設定する。画像切取工程では、範囲設定手段によって前記選択範囲が設定されているときに、接触状態検出手段および接触位置検出手段の検出結果に基づいて、接触位置が変化しないままで該接触位置の数が０になった場合に、制御手段によって、該選択範囲内に表示されていた画像が表示面から消去されるように表示制御手段が制御される。画像情報記憶工程では、制御手段によって、消去した該画像の画像情報を画像記憶手段に記憶させる。
【００３０】
選択範囲設定工程において、３本以上の指の接触させる入力面の位置を、カットしたい画像を囲むような位置にすることで、画像切取工程で、表示面に表示されている画像のうち所望の画像をカットすることができる。これらの工程で行う動作は、３本以上の指を入力面に接触させた後に離すという簡単な動作なので、短い作業時間で所望の画像をカットすることができる。
【００３１】
また本発明によれば、本発明の表示装置を制御する制御方法である。本発明の制御方法は、選択範囲設定工程と、画像切取工程と、画像情報記憶工程とを含む。
【００３２】
選択範囲設定工程では、表示面に画像が表示されているときに、接触状態検出手段および接触位置検出手段の検出結果に基づいて、接触位置の数が３つ以上検出されると、該接触位置の数が変化せずに接触が継続している間、範囲設定手段によって前記選択範囲を設定する。画像切取工程では、表示面に画像が表示され、接触状態検出手段および接触位置検出手段の検出結果に基づいて、範囲設定手段によって選択範囲が設定されているときに、接触位置の数が変化しないままで、表示面における境界線上の前記位置が、表示面における他の位置に近づくことにより、範囲指定手段によって指定される選択範囲が縮小し、該選択範囲が予め定める大きさまで縮小した場合に、制御手段によって、最初に設定された選択範囲内に表示されていた画像が表示面から消去されるように表示制御手段が制御される。画像情報記憶工程では、制御手段によって、消去した該画像の画像情報を画像記憶手段に記憶させる。
【００３３】
選択範囲設定工程において、３本以上の指の接触させる入力面の位置を、カットしたい画像を囲むような位置にすることで、画像切取工程で、表示面に表示されている画像のうち所望の画像をカットすることができる。これらの工程で行う動作は、３本以上の指を入力面に接触させた後に互いに近づけるという簡単な動作なので、短い作業時間で所望の画像をカットすることができる。
【図面の簡単な説明】
【００３４】
【図１】表示装置１が電子黒板である場合の表示装置１の外観を示す図である。
【図２】本発明の表示装置１の構成を示すブロック図である。
【図３Ａ】本発明の第１の実施形態である表示装置１の制御方法を示すフローチャートである。
【図３Ｂ】本発明の第１の実施形態である表示装置１の制御方法を示すフローチャートである。
【図４Ａ】表示装置１の制御方法を説明するための図である。
【図４Ｂ】表示装置１の制御方法を説明するための図である。
【図５】選択範囲を説明するための図である。
【図６Ａ】本発明の第２の実施形態である表示装置１の制御方法を示すフローチャートである。
【図６Ｂ】本発明の第２の実施形態である表示装置１の制御方法を示すフローチャートである。
【図７Ａ】本発明の第３の実施形態である表示装置１の制御方法を示すフローチャートである。
【図７Ｂ】本発明の第３の実施形態である表示装置１の制御方法を示すフローチャートである。
【発明を実施するための形態】
【００３５】
１、表示装置の構成
本発明の実施の一形態である表示装置１は、画像情報を出力することによって画像を表示面に表示する装置である。図１は、表示装置１が電子黒板である場合の表示装置１の外観を示す図である。図２は、本発明の表示装置１の構成を示すブロック図である。表示装置１は、たとえば学校などの教育現場などで用いられる。
【００３６】
表示装置１は、表示部１０と、タッチパネル１５と、制御手段である制御部２０と、記憶部２５とを含む。
【００３７】
１）表示部１０
表示部１０は表示面を含む。表示面は液晶素子を有する透過型の液晶パネルなどによって構成され、液晶パネルは、平板状に形成される。液晶パネルにおいて、厚み方向の２つの向きを前面側および背面側とする。表示装置１は前面側から見て画像を視認可能に表示する。表示部１０は、後述する表示制御部２１により出力が制御され、表示制御部２１から信号が出力されると、表示面全体または表示面の一部の領域に画像を表示させる。
【００３８】
２）タッチパネル１５
タッチパネル１５は、光学式、抵抗式、静電容量式、超音波式などの透明なパネルによって構成される。タッチパネル１５は、表示部１０の表示面に重なって設置されて一体化されている。タッチパネル１５は入力面１５ａを有し、入力面１５ａの表面をユーザの指、タッチペンなどの接触物（物体）で触れると、その接触位置に対応する座標データを出力する機能を有している。
【００３９】
このように表示部１０の表面に透明なタッチパネル１５が重ねて一体化されていることによって、タッチパネル１５を介して表示面上にユーザの指による動作の入力やペン入力を行うことができる。
【００４０】
３）制御部２０
制御部２０は、表示制御手段である表示制御部２１と、入力検出部２２とを含む。
【００４１】
制御部２０は、タッチパネル１５の入力面１５ａ上でのユーザの指による動作の入力やペン入力の内容、記憶部２５に記憶されているプログラムおよびデータなどに基づいて、表示装置１全体の制御や各種データ処理、後述する種々の制御を行うことによって、ユーザが指示した操作を実行する。
【００４２】
制御部２０の機能は、ＣＰＵ（ＣＩＳＣ型、ＲＩＳＣ型）、ＤＳＰ、カスタム（ゲートアレーなど）ＩＣ、メモリなどのハードウエアによって実現できる。
【００４３】
＜表示制御部２１＞
表示制御部２１は、図形描画部２１ａと、位置決定部２１ｂとを含む。
【００４４】
図形描画部２１ａは、表示部１０に出力する画像生成のための処理、および、表示面に表示されている画像のうち一部の画像を消去するために必要な処理を行う。画像の生成は、最大の解像度の画像データを保持し、縮尺に応じて当該画像データを間引きして生成する手法でもよいし、データをすべてベクトルデータとして持ち、必要に応じて演算を行い生成する手法でもよい。
【００４５】
位置決定部２１ｂは、表示面において画像を表示させる位置、表示面に表示させる画像の大きさなどを決定する。
【００４６】
表示制御部２１は、図形描画部２１ａが行った処理に基づいて、表示面に画像が表示されるように表示部１０を制御する。
【００４７】
＜入力検出部２２＞
入力検出部２２は、接触状態検出手段である接触検出部２２ａと、接触位置検出手段である位置検出部２２ｂと、サイズ検出部２２ｃと、時間測定部２２ｄと、コマンド検出部２２ｅとを含む。
【００４８】
接触検出部２２ａは、タッチパネル１５から送信された座標データに基づいて、タッチパネル１５の入力面１５ａに対する接触物の接触の開始と接触の終了とを検出する。
【００４９】
位置検出部２２ｂは、接触検出部２２ａがタッチパネル１５の入力面１５ａに対する接触の開始を検出すると、タッチパネル１５から送信された座標データに基づいて、タッチパネル１５の入力面１５ａに対して接触物が接触している位置をタッチパネル１５の入力面１５ａにおける位置座標（以下「タッチパネル位置座標」と記載する）として検出する。位置検出部２２ｂは、検出したタッチパネル位置座標を後述する入力座標記憶部２６に記憶する。
【００５０】
タッチパネル位置座標は、タッチパネル１５の左下を原点としたときの位置座標であり、タッチパネル１５に重ねて配置される表示面において、ｘ軸方向の画素数がｎ個であり、ｙ軸方向の画素数がｍ個である場合、（０，０）のタッチパネル位置座標の右隣のタッチパネル座標位置を（１，０）で表し、ｘ軸方向に１つずれるにつれて、タッチパネル位置座標を順に（２，０）、（３，０）・・・（ｎ−１，０）、（ｎ，０）と表す。また、（０，０）のタッチパネル位置座標の上隣のタッチパネル位置座標を（０，１）と表し、ｙ軸方向に１つずれるにつれて、タッチパネル位置座標を順に（０，２）、（０，３）・・・（０，ｍ−１）、（０，ｍ）と表す。
【００５１】
位置検出部２２ｂは、タッチパネル１５の複数の異なる位置に対して同時に接触物による接触が検出された場合、タッチパネル位置座標を同時に２つ以上検出することが可能であり、たとえば３つ以上であっても１０であっても検出することが可能である。
【００５２】
また位置検出部２２ｂは、タッチパネル１５に対して接触している接触物の接触位置の数を検出する。たとえば位置検出部２２ｂは、タッチパネル１５の異なる位置に対して同時に２つの接触物が接触している場合、接触位置の数が２つであると検出する。位置検出部２２ｂは、検出した接触位置の数を記憶部２５に記憶する。
【００５３】
サイズ検出部２２ｃは、後述する選択範囲の大きさを算出する。
時間測定部２２ｄは、位置検出部２２ｂがタッチパネル位置座標を検出した時などからの経過時間を測定する。この測定は、位置検出部２２ｂがタッチパネル位置座標を検出しなくなる、または、所定の時間を経過するまで行われる。
【００５４】
コマンド検出部２２ｅは、接触検出部２２ａおよび位置検出部２２ｂなどの検出結果に基づいて、ユーザが入力した操作内容を検出する。
【００５５】
４）記憶部２５
記憶部２５は、画像を生成するためのデータ、プログラム、後述する種々の処理を行うために必要なデータなどを記憶するＲＯＭ、入力検出部２２で検出されたデータを書き換え可能に記憶するＲＡＭなどで構成され、入力座標記憶部２６と、図形描画情報記憶部２７と、時間記憶部２８とを含む。また記憶部２５は、後述する中心座標および後述する半径Ｒを記憶する。
【００５６】
＜入力座標記憶部２６＞
入力座標記憶部２６は、位置検出部２２ｂが検出したタッチパネル位置座標を記憶する。入力座標記憶部２６は、新たにタッチパネル位置座標を記憶すると前回記憶したタッチパネル位置座標を削除する。また入力座標記憶部２６は、接触検出部２２ａが接触の終了を検出すると、タッチパネル位置座標を初期化する。
【００５７】
＜図形描画情報記憶部２７＞
図形描画情報記憶部２７は、表示面に表示される画像を記憶する。
【００５８】
＜時間記憶部２８＞
時間記憶部２８は、時間測定部２２ｄが測定した経過時間を記憶する。また時間記憶部２８は、予め定められる各種時間を記憶している。
【００５９】
２、表示装置の制御方法
図３Ａ，３Ｂは、本発明の第１の実施形態である表示装置１の制御方法を示すフローチャートである。図４Ａ，４Ｂは、表示装置１の制御方法を説明するための図である。図５は、選択範囲を説明するための図である。
【００６０】
図３Ａ，３Ｂのフローチャートには、表示面に表示されている画像のうち一部の画像を表示面から消去、いわゆるカットしてカットした画像を図形描画情報記憶部２７に一時的に記憶するカット処理、図形描画情報記憶部２７に一時的に記憶されている、カットした画像を再度表示面に表示させるペースト処理、一部の画像を表示面上で移動させて表示させる移動処理が示されている。表示面に何らかの画像、たとえば図４Ａ（ａ）に示すような複数の図形１１ａ〜１１ｄなどを含む画像が表示されると本フローチャートの開始となる。以下の説明では、図形１１ｄを、ユーザが表示面からカットおよびペーストしたい画像、表示面上で移動して表示させたい画像とする。まずカット処理およびペースト処理について述べる。
【００６１】
ステップＳ１では、制御部２０は、接触検出部２２ａが接触の開始を検出したかどうか判断し、接触の開始を検出したと判断されるとステップＳ２に進む。
【００６２】
ステップＳ２では、制御部２０は、位置検出部２２ｂが検出した接触位置の数が３つ以上かどうか判断する。接触位置の数が３つ以上であると判断されると、ステップＳ３に進む。接触位置の数が３つ以上ではないと判断されると本フローチャートに示す処理の終了となる。
【００６３】
ステップＳ３では、制御部２０は、入力座標記憶部２６からタッチパネル位置座標を取得する。本実施形態では、図４Ａ（ｂ）および図５に示すように５本の指３０がタッチパネル１５の入力面１５ａに接触しており、入力座標記憶部２６から５つのタッチパネル位置座標が取得される。制御部２０は、取得したタッチパネル位置座標に基づいて、全てのタッチパネル位置座標から同程度の距離、離れて位置する座標（以下「接触中心座標」と記載する）５０を算出し、算出した接触中心座標５０を記憶部２５に記憶する。
【００６４】
制御部２０は、取得したタッチパネル位置座標の数が３つのときには、３つの取得したタッチパネル位置座標に対応する位置を頂点としてそれぞれの頂点を線分で結んだ三角形の外接円の中心に対応するタッチパネル位置座標、または、その三角形の重心に対応するタッチパネル位置座標を接触中心座標として算出する。また制御部２０は、取得したタッチパネル位置座標の数が４つ以上のときには、全ての取得したタッチパネル位置座標に対応する位置を頂点としてそれぞれの頂点を線分で結んだ多角形の重心に対応するタッチパネル位置座標を接触中心座標として算出する。
【００６５】
ステップＳ４では、制御部２０は、図形描画情報記憶部２７にカット処理でカットされた画像の画像データが記憶されているかどうか判断する。カット処理でカットされた画像の画像データが記憶されていると判断するとステップＳ１５に進む。カット処理でカットされた画像の画像データが記憶されていないと判断するとステップＳ５に進む。
【００６６】
ステップＳ５では、制御部２０は、記憶部２５に後述する半径Ｒが記憶されている場合、半径Ｒの値を初期化する。半径Ｒが記憶されていない場合にはそのままステップＳ６に進む。
【００６７】
ステップＳ６では、制御部２０は、記憶部２５から接触中心座標５０を取得し、取得した接触中心座標５０と、その接触中心座標５０から最も離れたタッチパネル位置座標との間の距離を半径Ｒとして算出する。制御部２０は、算出した半径Ｒを記憶部２５に記憶する。その後、ステップＳ７に進む。
【００６８】
ステップＳ７では、制御部２０は、表示面の一部に、図４Ａ（ｂ）および図５に示すような、接触中心座標５０を中心とする半径Ｒの円の内部の範囲を、選択範囲５１として設定する。選択範囲５１内には、図形１１ｄが表示されている。なお、選択範囲５１内と選択範囲５１外との境界線を示す線は表示面に表示されない。本実施形態では、選択範囲５１内と選択範囲５１外との境界線が、入力面１５ａの接触中心座標５０から最も遠い接触位置を通るように設定されるが、選択範囲５１は、入力面１５ａの接触位置にそれぞれ対応する表示面における位置を全て含むように設定されるのであれば、選択範囲５１内と選択範囲５１外との境界線が、入力面１５ａの接触中心座標５０から最も遠い接触位置よりも遠い位置を通るように設定されてもよい。
【００６９】
ステップＳ８では、制御部２０は、ステップＳ３で接触中心座標５０が算出されてから本ステップまでの間の接触位置の数を記憶部２５から取得し、ステップＳ３で接触中心座標５０が算出されてから本ステップまでの間に接触位置の数が変化したかどうか判断する。接触位置の数が変化したと判断されると、制御部２０が選択範囲５１の設定を解除し、ステップＳ９に進む。接触位置の数が変化しなかったと判断されるとステップＳ１０に進む。
【００７０】
ステップＳ９では、制御部２０は、ステップＳ３で接触中心座標５０が算出されてから本ステップまでの間に接触位置の数が減少したかどうか判断する。接触位置の数が減少したと判断されると本フローチャートの終了となる。接触位置の数が減少しなかったと判断されると、すなわち接触位置の数が増加したと判断されるとステップＳ３に戻る。
【００７１】
ステップＳ１０では、制御部２０は、入力座標記憶部２６からタッチパネル位置座標を取得し、このタッチパネル位置座標に基づいて接触中心座標５０を算出し、算出した接触中心座標５０を記憶部２５に記憶させる。制御部２０は、記憶部２５にすでに他の接触中心座標５０が記憶されていたとしても該他の接触中心座標５０を上書きすることなく接触中心座標５０を記憶させる。その後、ステップＳ１１に進む。
【００７２】
ステップＳ１１では、制御部２０は、ステップＳ１０で記憶部２５に記憶した接触中心座標５０と、ステップＳ３で記憶部２５に記憶した接触中心座標５０とを比較することで、接触中心座標５０が変化したかどうか判断する。接触中心座標５０が変化したと判断されると、ステップＳ１８に進む。接触中心座標５０が変化しなかったと判断されるとステップＳ１２に進む。
【００７３】
ステップＳ１２では、制御部２０は、全ての接触が同時に終了したかどうか判断する。全ての接触が終了した状態は、接触位置の数が０になったことを示し、図４Ａ（ｃ）に示すように入力面１５ａから指３０を離した状態を示す。このとき、接触位置の数が減少し始めた時点から接触位置の数が０になるまでの時間が予め定める時間（たとえば３０秒間）を超えなければ、全ての接触が同時に終了したと判断してもよい。
【００７４】
全ての接触が同時に終了したと判断されると、コマンド検出部２２ｅがカット処理の指示を検出し、コマンド検出部２２ｅがカット処理の指示を検出すると、制御部２０は、選択範囲５１の設定を解除する。その後、ステップＳ１３に進む。全ての接触が同時に終了しなかったと判断されるとステップＳ８に戻る。
【００７５】
ステップＳ１３では、図形描画部２１ａは、選択範囲５１内に表示されていた画像を消去するための処理を行い、制御部２０は、この処理に基づいた画像が表示面に表示されるように表示制御部２１を制御する。その後、ステップＳ１４に進む。選択範囲５１内に表示されていた画像には図形１１ｄが含まれるので、これによって図４Ａ（ｃ）に示すように選択範囲５１内に表示されていた図形１１ｄが表示面から消去される。
【００７６】
ステップＳ１４では、制御部２０は、ステップＳ１３でカットした画像の画像データを図形描画情報記憶部２７に記憶させる。これによってカット処理の終了となり、ステップＳ１に戻る。
【００７７】
カット処理後のステップＳ１〜Ｓ３の処理が示すユーザの操作としては、本実施形態では、図４Ａ（ｃ）、図４Ｂ（ｄ），（ｅ）に示すように、図形１１ｄを含む画像をカットした表示面上の位置から、カットした図形１１ｄを含む画像をペーストさせたい表示面上の位置までユーザの手を移動させ、カットした図形１１ｄを含む画像をペーストさせたい位置を囲むように５本の指３０を入力面１５ａに接触させる。なお、ステップＳ３では、制御部２０は、記憶部２５にすでに他の接触中心座標５０が記憶されていたとしても該他の接触中心座標５０を上書きすることなく接触中心座標５０を記憶させる。
【００７８】
図形描画情報記憶部２７に図形１１ｄを含む画像の画像データが記憶されているので、今回、ステップＳ４の次はステップＳ１５に進むことになる。これによってコマンド検出部２２ｅは、ペースト処理を行う指示を検出する。コマンド検出部２２ｅが、ペースト処理を行う指示を検出すると、制御部２０は、選択範囲５１の設定を解除する。
【００７９】
ステップＳ１５では、制御部２０は、図形描画情報記憶部２７に記憶されているカット処理でカットした画像の画像データについて、表示面に表示させたときの該画像の中心座標（以下「カット画像中心座標」と記載する）を設定し、設定したカット画像中心座標を記憶部２５に記憶する。制御部２０は、カットした画像の画像データにおいて、選択範囲５１の接触中心座標と同じ座標の位置をカット画像中心座標として設定する。
【００８０】
ステップＳ１６では、位置決定部２１ｂは、カットした図形１１ｄを含む画像をペーストする表示面上の位置を、記憶部２５に記憶されている接触中心座標５０のうち最後に記憶された接触中心座標５０と、ステップＳ１５で算出したカット画像中心座標とが重なる位置に決定する。図形描画部２１ａは、この位置に図形１１ｄを含む画像を表示させるための処理を行い、制御部２０は、この処理に基づいた画像が表示面に表示されるように表示制御部２１を制御する。これによって図４Ｂ（ｆ）に示すように図形１１ｄがペーストされる。その後、ステップＳ１７に進む。
【００８１】
ステップＳ１７では、制御部２０は、図形描画情報記憶部２７に記憶されている、カットした画像の画像データ、記憶部２５に記憶されている接触中心座標５０のデータおよびカット画像中心座標のデータを初期化する。これによってペースト処理の終了となり、本フローチャートの終了となる。
【００８２】
次に、移動処理について述べる。ステップＳ１〜ステップＳ１１の処理は省略するが、移動処理が行われる場合には、ステップＳ１１の次はステップＳ１８に進むことになる。これによってコマンド検出部２２ｅは、移動処理を行う指示を検出する。
【００８３】
ステップＳ１８では、制御部２０は、選択範囲５１内に表示されている図形１１ｄを含む画像の中心座標（以下「移動画像中心座標」と記載する）を算出し、算出した移動画像中心座標を記憶部２５に記憶する。移動画像中心座標の算出方法は前述のカット画像中心座標の算出方法と同様である。その後、ステップＳ１９に進む。
【００８４】
ステップＳ１９では、制御部２０は、入力座標記憶部２６からタッチパネル位置座標を取得し、タッチパネル位置座標に基づいて接触中心座標５０を算出し、算出した接触中心座標５０を記憶部２５に記憶する。その後、ステップＳ２０に進む。
【００８５】
ステップＳ２０では、位置決定部２１ｂは、選択範囲５１内に表示されている図形１１ｄを含む画像（以下単に「図形１１ｄを含む画像」と記載する）を表示させる表示面上の位置を、ステップＳ１８で算出した移動画像中心座標と、ステップＳ１９で算出した接触中心座標５０とが重なる位置に決定する。図形描画部２１ａは、現在、表示されている位置から図形１１ｄを含む画像を消去して、位置決定部２１ｂが決定した位置に図形１１ｄを含む画像を表示させるための処理を行い、制御部２０は、この処理に基づいた画像が表示面に表示されるように表示制御部２１を制御する。その後、ステップＳ２１に進む。
【００８６】
ステップＳ２１では、制御部２０は、接触位置の数が変化したかどうか判断する。接触位置の数が変化したと判断されると移動処理の終了となり、本フローチャートの終了となる。接触位置の数が変化しなかったと判断されるとステップＳ２２に進む。
【００８７】
ステップＳ２２では、制御部２０は、入力座標記憶部２６からタッチパネル位置座標を取得し、そのタッチパネル座標位置に基づいて接触中心座標５０を算出し、算出した接触中心座標５０を記憶部２５に記憶する。その後、ステップＳ２３に進む。
【００８８】
ステップＳ２３では、制御部２０は、ステップＳ１９で算出した接触中心座標５０とステップＳ２２で算出した接触中心座標５０とを比較することで、接触中心座標５０が変化したかどうか判断する。接触中心座標５０が変化したと判断されると、ステップＳ１９に戻る。ステップＳ１９〜Ｓ２３の処理を繰り返す間は、指３０を入力面１５ａに接触させたままユーザが手を移動させ続け、移動している手の動きに合わせて図形１１ｄを含む画像の表示位置が変化する状態を示す。接触中心座標５０が変化しなかったと判断されると、すなわちユーザが手を静止させると移動処理の終了となり、本フローチャートの終了となる。
【００８９】
このように本実施形態では、カットしたい画像を囲むように５本の指３０を入力面１５ａに接触させた後、それらの指３０を移動させないままで同時に入力面１５ａから離すことで、指３０で囲まれた範囲内の画像をカットすることができるので、表示面に表示されている画像のうち所望の画像を、簡単な操作、かつ短い作業時間でカットすることができる。
【００９０】
また本実施形態では、カット処理を行った後に、カットしたい画像をペーストしたい位置を囲むように５本の指３０を入力面１５ａに接触させることで、指３０で囲まれた位置に画像をペーストすることができるので、表示面上の所望の位置に、簡単な操作、かつ短い作業時間でカットした画像をペーストすることができる。
【００９１】
また本実施形態では、移動させて表示させたい画像を囲むように５本の指３０を入力面１５ａに接触させた後、それらの指３０を接触させたまま入力面１５ａ上で移動させることで、指３０で囲まれた範囲内の画像を移動させて表示させることができるので、表示面に表示されている画像のうち所望の画像を、簡単な操作、かつ短い作業時間で移動させて表示させることができる。
【００９２】
本実施形態では、カット処理を行う時とペースト処理を行う時とで５本の指３０を用いたが、３本以上の指３０を用いれば本実施形態に係る表示装置１の制御方法を実現できる。また、たとえばカット処理では３本の指３０を用いて、カットした画像をペーストするときには、４本以上の指３０を用い、カット処理を行う時とペースト処理を行う時とで接触位置の数を異ならせてもよい。また、本実施形態に係る表示装置１の制御方法は両手を用いても実現できる。両手を用いることによって、表示装置１を教育現場で使用する場合、たとえば子供が片手の大きさよりも大きい画像を、両手を使ってカット、ペーストまたは移動させることができる。
【００９３】
図６Ａ，６Ｂは、本発明の第２の実施形態である表示装置１の制御方法を示すフローチャートである。
【００９４】
本実施形態は、図形１１ｄを表示面から消去するときの条件が異なること以外は第１の実施形態と同様である。図６Ａ，６Ｂに示すフローチャートではステップＳ４２の処理が、図３Ａ，３Ｂに示す第１の実施形態のフローチャートのステップＳ１２の処理と異なる。
【００９５】
ステップＳ４２では、制御部２０は、選択範囲５１の大きさ（面積）が予め定める大きさまで縮小したかどうか判断する。制御部２０は、接触位置が変化するたびに選択範囲５１を新たに設定し直しており、選択範囲５１の大きさは、ユーザが５本の指３０を互いに近づけるように動かし、選択範囲５１内と選択範囲５１外との境界線を通るタッチパネル位置座標が接触中心座標５０に近づくことで縮小する。本実施形態では、サイズ検出部２２ｃが、ステップＳ３７と本ステップで選択範囲５１の面積を算出し、制御部２０は、本ステップでの選択範囲５１の面積が、ステップＳ３７の時点での選択範囲５１の面積に比べて予め定める割合（たとえば２５％）まで減少すると、選択範囲５１が予め定める大きさまで縮小したと判断する。予め定める大きさまで縮小したと判断されるとステップＳ４３に進み、予め定める大きさまで縮小したと判断されないとステップＳ３８に戻る。
【００９６】
制御部２０は、本ステップでの選択範囲５１の面積が、入力面１５ａの面積（たとえば１ｍ２）に対して０．５％の大きさまで縮小したと判断した場合に、選択範囲５１の大きさ（面積）が予め定める大きさまで縮小したと判断してもよい。
【００９７】
このように本実施形態では、カットしたい画像を囲むように５本の指３０を入力面１５ａに接触させた後、それらの指３０を互いに近づけることで、指３０で囲まれた範囲内の画像をカットすることができるので、表示面に表示されている画像のうち所望の画像を、簡単な操作、かつ短い作業時間でカットすることができる。
【００９８】
図７Ａ，７Ｂは、本発明の第３の実施形態である表示装置１の制御方法を示すフローチャートである。本実施形態では、接触位置の数に応じて異なる図形をカット処理またはペースト処理できる。
【００９９】
本実施形態は、接触位置の数に応じて異なる画像をカットまたはペーストできること以外は第１の実施形態と同様である。たとえば接触位置の数が３つのときのカット処理で図形Ａを含む画像、接触位置の数が４つのときのカット処理で図形Ｂを含む画像、接触位置の数が５つのときのカット処理で図形Ｃを含む画像をそれぞれカットした後、接触位置の数が３つになるようにして入力面１５ａに接触すると図形Ａを含む画像をペーストし、接触位置の数が４つになるようにして入力面１５ａに接触すると図形Ｂを含む画像をペーストし、接触位置の数が５つになるようにして入力面１５ａに接触すると図形Ｃを含む画像をペーストすることができる。そのため、両手を使用すると、最大１０個の異なる画像を連続してカットまたはペーストすることができる。
【０１００】
図７Ａ，７Ｂに示すフローチャートでは、ステップＳ６４，Ｓ７４，Ｓ７５の処理が図３Ａ，３Ｂに示す第１の実施形態のフローチャートのステップＳ４，Ｓ１４，Ｓ１５の処理と異なる。
【０１０１】
ステップＳ７４で図形描画情報記憶部２７にカット処理した図形１１ｄを含む画像の画像データを保存する際に、該画像データに対応する接触位置の数を記憶部２５に記憶しておく。
【０１０２】
ステップＳ６４では、制御部２０は、図形描画情報記憶部２７に、現在の接触位置の数に対応する画像データが記憶されているかどうか判断する。対応する画像データが記憶されていると判断されるとステップＳ７５に進む。対応する画像データが記憶されていないと判断されるとステップＳ６５に進む。
【０１０３】
ステップＳ７５では、制御部２０は、図形描画情報記憶部２７に記憶されている画像データのうち、対応する画像データについてカット画像中心座標を算出する。その後、ステップＳ７６に進む。
【０１０４】
上記のような制御を行うことによって、複数の異なる図形を含む画像を連続してカットした後に連続してペーストできるので、入力面１５ａ上において、カットしたい複数の図形がある位置と、その複数の図形をペーストしたい位置とが離れている場合に利便性を向上させることができる。
【０１０５】
また本発明の他の実施形態では、第３の実施形態において、図形描画情報記憶部２７にカット処理を行って記憶させた画像データを入力面１５ａの隅などに表示させ、その画像に指３０でタッチすることでペーストさせたい画像を指定し、接触位置の数が３つになるようにして入力面１５ａに接触することで、指定した画像をペーストする構成としてもよい。
【０１０６】
また本発明の他の実施形態では、図形描画情報記憶部２７に画像データが記憶されると時間測定部２２ｄが時間の測定を開始し、予め定める時間（たとえば３０分間）が経過すると、制御部２０が、図形描画情報記憶部２７内の画像データを消去するように制御してもよい。
【０１０７】
このように、カット処理を行ってから予め定める時間が経過すると図形描画情報記憶部２７内の画像データが消去されることによって、あるユーザがカットした画像を、予め定める時間が経過した後は他のユーザがペーストすることができなくなるので、情報漏えい防止に役立つ。
【０１０８】
また本発明の他の実施形態では、ペーストするときに図形１１ｄを含む画像を回転させて表示できる構成としてもよい。たとえば、ペースト処理のために指３０を入力面１５ａに接触させた後、予め定める時間（たとえば１秒間）以内に、接触させたまま指３０で円を描くようにユーザの手を回転させることによって、指３０の移動距離に応じた回転角度で図形１１ｄを含む画像を回転させて表示させる。このような制御では、指３０の移動距離が長いほど大きな回転角度で図形１１ｄを含む画像を回転して表示させる。
【０１０９】
また、ペースト処理のために指３０を入力面１５ａに接触させた後、予め定める時間（たとえば０．５秒間）以内に、指３０を互いに遠ざけるように動かすことで、指３０の移動距離に応じた倍率で図形１１ｄを含む画像を拡大して表示させるようにしてもよく、ペースト処理のために指３０を入力面１５ａに接触させた後、予め定める時間（たとえば０．５秒間）以内に、指３０を互いに近づけるように動かすことで、指３０の移動距離に応じた倍率で図形１１ｄを含む画像を縮小して表示させるようにしてもよい。
【符号の説明】
【０１１０】
１  表示装置
１０  表示部
１５  タッチパネル
２０  制御部
２１  表示制御部
２１ａ  画像描画部
２１ｂ  位置決定部
２２  入力検出部
２２ａ  接触検出部
２２ｂ  位置検出部
２２ｃ  サイズ検出部
２２ｄ  時間測定部
２２ｅ  コマンド検出部
２５  記憶部
２６  入力座標記憶部
２７  図形描画情報記憶部
２８  時間記憶部
【図１】
2014002554.tif 000003
【図２】
2014002554.tif 000004
【図３Ａ】
2014002554.tif 000005
【図３Ｂ】
2014002554.tif 000006
【図４Ａ】
2014002554.tif 000007
【図４Ｂ】
2014002554.tif 000008
【図５】
2014002554.tif 000009
【図６Ａ】
2014002554.tif 000010
【図６Ｂ】
2014002554.tif 000011
【図７Ａ】
2014002554.tif 000012
【図７Ｂ】
2014002554.tif 000013